(57)【要約】【課題】  アームに上向き力が加わっても上方向へ移動しないようにする。【解決手段】  アングル材200 に取り付けられる縦稈300 、これに取り付けられるアーム400 、縦稈300 内部で調整ボルト550 と螺合してアーム400 の角度を調整する調整部材500 を備え、アーム400 の基端側側面に第１のアーム側開口部421Aと第２のアーム側開口部421Bが、縦稈300 の側面320 に第１の縦稈側開口部321Aと第２のアーム側開口部421Bと対応した長孔状の第２の縦稈側開口部321Bが、調整部材500 の側面520 に調整部材側開口部521 がそれぞれ開設され、第１のアーム側開口部421Aと第１の縦稈側開口部321Aを一致させて締結し、第２のアーム側開口部421Bと第１の縦稈側開口部321Aと調整部材側開口部521 を一致させて締結してアーム400 を縦稈300 に取り付け、調整ボルト550 は縦稈300 内側で抜け止め用のＵナット560 が螺合される。【選択図】      図１
2016033428.tif 000002
【特許請求の範囲】
【請求項１】
壁面等に固定されるアングル材と、このアングル材に取り付けられる一対の縦稈と、この縦稈に対して略直交方向に突出して取り付けられる一対のアームと、前記縦稈の内部にあって、縦稈の正面からの調整ボルトと螺合すべく調整ボルト用雌ねじ部が開設され、この調整ボルトと調整ボルト用雄ねじ部との螺合具合によって前記アームの縦稈に対する角度を調整する調整部材とを具備しており、前記アームの基端側側面には上側に位置する第１のアーム側開口部と、これより下側に位置する第２のアーム側開口部とがそれぞれ開設され、前記縦稈の側面には、前記第１のアーム側開口部と対応した第１の縦稈側開口部と、前記第２のアーム側開口部と対応した長孔状の第２の縦稈側開口部とがそれぞれ開設され、前記調整部材の側面には、前記第２のアーム側開口部及び第２の縦稈側開口部と対応した調整部材側開口部が開設されており、前記第１のアーム側開口部と前記第１の縦稈側開口部とを一致させた状態で第１のボルトを挿通させるとともに、前記第２のアーム側開口部と前記第１の縦稈側開口部と調整部材側開口部とを一致させた状態で第２のボルトを挿通させてアームを縦稈に取り付けた状態で、前記調整ボルトの螺合具合を変動させて調整部材を変移させることで前記第１のボルトを中心としてアームの縦稈に対する角度が調整され、かつ前記調整ボルトには縦稈の内側において抜け止め用のナットが螺合されていることを特徴とする室外機用の据付台。
【請求項２】
前記抜け止め用のナットは、Ｕナットであることを特徴とする請求項１記載の室外機用の据付台。
【請求項３】
前記第２の縦稈側開口部の奥側縁部は第１の縦稈側開口部の奥側縁部と同一垂線上にあり、第２の縦稈側開口部の手前側縁部は第１の縦稈側開口部の手前側縁部より手前側に位置していることを特徴とする請求項１又は２記載の室外機用の据付台。
【請求項４】
前記縦稈の側面には、第２の縦稈側開口部を挟んで等距離にある２つの第１の縦稈側開口部が開設されていることを特徴とする請求項１、２又は３記載の室外機用の据付台。
【発明の詳細な説明】
【技術分野】
【０００１】
本発明は、エアコンの室外機を壁面に据え付けるための据付台に関する。
【背景技術】
【０００２】
この種の室外機用の据付台には、地面等の平坦面に据え付けられる棚タイプ、屋根の上に据え付けられる屋根タイプ、ベランダ等の天井面から吊り下げられる吊り下げタイプ、家屋の外壁面に取り付けられる外壁面タイプ等がある。
外壁面タイプの主要構成部品は、外壁面に取り付けられるアングル材と、このアングル材に取り付けられるアームとがあり、アームは外壁面に対して略直交方向に突出するようになっている。
室外機は重量物であるので、室外機が据え付けられたアームは手前側に変形して僅かに傾斜するという問題がある。
かかる問題を解消するために、本願出願人は、特許第２９４３１３１号を創案した。この特許第２９４３１３１号は『壁面等の鉛直面に沿って取付けられるベース部から壁面に直角な方向に突出し、壁面に平行な水平方向に間隔をあけて並列した一対の片持ち式フレームによりエアコン室外機を支持する片持ち式エアコン据付け台において、各フレームの先端部の高さを独立に調節するレベル調節機構を設け、該レベル調節機構として、各フレームの先端部または中央部に上端部が連結され、下端部がフレームより下のベース部に連結された一対の斜材により各フレームを支持し、且つ、前記フレームに直角な横軸により前記斜材の上端部にブラケットを軸支結合すると共に、前記横軸に平行な横軸により前記ブラケットのフレーム基端側部分を前記フレームに軸支結合し、前記ブラケットのフレーム先端側部分に取付けたナットにねじ込まれた縦方向のボルトによりフレームを下方から支持したことを特徴とする片持ち式エアコン据付け台。』である。
【０００３】
【特許文献１】特許第２９４３１３１号公報
【発明の開示】
【発明が解決しようとする課題】
【０００４】
しかしなから、この片持ち式エアコン据付台は、クランク金具と片持ち式フレームとが連結され、斜材とクランク金具とが連結されることで、斜材と片持ち式フレームとが連結される。そして、クランク金具に取り付けられ、片持ち式フレームの下面に当接する垂直なボルトのねじ込み量によって、片持ち式フレームの角度調整（高さ調整）が行われるようになっている。
【０００５】
しかしながら、かかる構造では、片持ちフレームに対して下向きに係る荷重に対しては強いが、片持ちフレームに上向きの力が加えられると、片持ちフレームは簡単に上方向に移動するおそれがある。
例えば、台風等の強風によって室外機ごと上方向に煽られると、据付台が破壊されるおそれもある。
【０００６】
本発明は、上記事情に鑑みて創案されたもので、簡単な構成で上向きの力、例えば台風等の強風で上方向に煽られても、室外機が取り付けられるアームが上方向へと移動しない安全な室外機用の据付台を提供することを目的としている。
【課題を解決するための手段】
【０００７】
また、本発明に係る室外機用の据付台は、壁面等に固定されるアングル材と、このアングル材に取り付けられる一対の縦稈と、この縦稈に対して略直交方向に突出して取り付けられる一対のアームと、前記縦稈の内部にあって、縦稈の正面からの調整ボルトと螺合すべく調整ボルト用雌ねじ部が開設され、この調整ボルトと調整ボルト用雄ねじ部との螺合具合によって前記アームの縦稈に対する角度を調整する調整部材とを備えており、前記アームの基端側側面には上側に位置する第１のアーム側開口部と、これより下側に位置する第２のアーム側開口部とがそれぞれ開設され、前記縦稈の側面には、前記第１のアーム側開口部と対応した第１の縦稈側開口部と、前記第２のアーム側開口部と対応した長孔状の第２の縦稈側開口部とがそれぞれ開設され、前記調整部材の側面には、前記第２のアーム側開口部及び第２の縦稈側開口部と対応した調整部材側開口部が開設されており、前記第１のアーム側開口部と前記第１の縦稈側開口部とを一致させた状態で第１のボルトを挿通させるとともに、前記第２のアーム側開口部と前記第１の縦稈側開口部と調整部材側開口部とを一致させた状態で第２のボルトを挿通させてアームを縦稈に取り付けた状態で、前記調整ボルトの螺合具合を変動させて調整部材を変移させることで前記第１のボルトを中心としてアームの縦稈に対する角度が調整され、かつ前記調整ボルトには縦稈の内側において抜け止め用のＵナットが螺合されている。
【発明の効果】
【０００８】
本発明に係る室外機用の据付台は、簡単な構成でアームの角度調整が可能であり、しかもアームに対して上向きの力が加えられても上方向へと移動することがない安全な室外機用の据付台を提供することを目的としている。
【図面の簡単な説明】
【０００９】
【図１】本発明の実施の形態に係る室外機用の据付台の概略的分解斜視図である。
【図２】本発明の実施の形態に係る室外機用の据付台に用いられる調整部材の概略的斜視図である。
【図３】本発明の実施の形態に係る室外機用の据付台に用いられる調整部材の図面であって、同図（Ａ）は概略的背面図、同図（Ｂ）は概略的側面図、同図（Ｃ）は概略的平面図である。
【図４】本発明の実施の形態に係る室外機用の据付台に用いられる室外機用の据付台のアングル材への取付手順を示す概略的正面図である。
【図５】本発明の実施の形態に係る室外機用の据付台のアームの角度の調整を示す概略的側面図である。
【図６】本発明の実施の形態に係る室外機用の据付台のアームの角度の調整を示す概略的側面図である。
【図７】本発明の実施の形態に係る室外機用の据付台において縦稈を逆さ方向にした場合の概略的側面図である。
【図８】である。
【発明を実施するための形態】
【００１０】
本発明の実施の形態に係る室外機用の据付台１０００は、外壁面に固定された一対のアングル材２００と、このアングル材２００に取り付けられる一対の縦稈３００と、この縦稈３００に対して略直交方向に突出して取り付けられる一対のアーム４００と、前記縦稈３００の内部にあって、縦稈３００の正面３１０からの調整ボルトと螺合すべく調整ボルト用雌ねじ部５１１Ａが開設され、この調整ボルト５５０と調整ボルト用雄ねじ部５１１Ａとの螺合具合によって前記アーム４００の縦稈３００に対する角度を調整する調整部材５００とを備えており、前記アーム４００の基端側側面には上側に位置する第１のアーム側開口部４２１Ａと、これより下側に位置する第２のアーム側開口部４２１Ｂとがそれぞれ開設され、前記縦稈３００の側面３２０には、前記第１のアーム側開口部４２１Ａと対応した第１の縦稈側開口部３２１Ａと、前記第２のアーム側開口部４２１Ｂと対応した長孔状の第２の縦稈側開口部３２１Ｂとがそれぞれ開設され、前記調整部材５００の側面５２０には、前記第２のアーム側開口部４２１Ｂ及び第２の縦稈側開口部３２１Ｂと対応した調整部材側開口部５２１が開設されており、前記第１のアーム側開口部４２１Ａと前記第１の縦稈側開口部３２１Ａとを一致させた状態で第１のボルト４５０Ａを挿通させるとともに、前記第２のアーム側開口部４２１Ｂと前記第１の縦稈側開口部３２１Ａと調整部材側開口部５２１とを一致させた状態で第２のボルト４５０Ｂを挿通させてアーム４００を縦稈３００に取り付けた状態で、前記調整ボルト５５０の螺合具合を変動させて調整部材５００を変移させることで前記第１のボルト４５０Ａを中心としてアーム４００の縦稈３００に対する角度が調整され、かつ前記調整ボルト５５０には縦稈３００の内側において抜け止め用のＵナット５６０が螺合されている。
【００１１】
前記アングル材２００は、従来の室外機用の据付台に使用されるものと同等であり、図１に示すように、開口溝２１０が開設された面と対向する面である底面部２２０が平坦になった断面略Ｃ字形状に形成されている。なお、アングル材２００の底面部２２０を平坦にするのは、その底面部２２０が外壁面に接する部分だからである。
また、このアングル材２００は、前記底面部２２０に等間隔で複数の長孔２２１が開設されている。アングル材２００は、この長孔２２１を利用して外壁面に上下二段に平行に取り付けられる。
【００１２】
前記縦稈３００は、図１に示すように、上下二段に平行になったアングル材２００を連結するとともに、アーム４００が取り付けられる部分である。かかる縦稈３００は、四角柱の一面が開放された形状になっており、開放された面と対向する面である正面３１０には、後述するスライド式ボルト１００のボルト部１２０の軸部１２１に対応した２つの縦稈側開口部３１１が開設されている。また、この２つの縦稈側開口部３１１の間には、後述する調整ボルト５５０が挿通される調整ボルト用挿通孔３１２が開設されている。
【００１３】
また、この縦稈３００の両側面３２０には、アーム４００を取り付けるための３つの開口部３２１Ａ、３２１Ｂ、３２１Ｃが開設されている。
中央の開口部が第２の縦稈側開口部３２１Ｂであり、この第２の縦稈側開口部３２１Ｂは長孔状に設定されている。
また、この第２の縦稈側開口部３２１Ｂの上方には、第１の縦稈側開口部３２１Ａが開設されている。また、第２の縦稈側開口部３２１Ｂの下方にも前記第１の縦稈側開口部３２１Ｃが開設されている。この上側の第１の縦稈側開口部３２１Ａと下側の縦稈側開口部３２１Ａとは、第２の縦稈側開口部３２１Ｂを挟んで対称の位置、すなわち第２の縦稈側開口部３２１Ｂを挟んで等距離にあることになる。
この下側の第２の縦稈側開口部３２１Ｂは、縦稈３００を図１や図８に示すものとは逆さ向きに使用する場合、すなわち図７に示すような状態で使用する場合のものである。
縦稈３００は上下を入れ換えて使用することができるので、室外機用の据付台１０００が設置される周囲のスペースや環境に応じて室外機の設置位置、設置高さを適宜変更することができるので便利である。
【００１４】
なお、第２の縦稈側開口部３２１Ｂの奥側縁部は、第１の縦稈側開口部３２１Ａの奥側縁部と同一垂線上に位置している。また、第２の縦稈側開口部３２１Ｂの手前側縁部は、第１の縦稈側開口部３２１Ａの手前縁部より手前側に位置している。この第２の縦稈側開口部３２１Ｂの手前側縁部の第１の縦稈側開口部３２１Ａの手前縁部に対する位置ずれがアーム４００の角度の調整を可能とするのである。
【００１５】
また、前記調整ボルト用挿通孔３１２には、手前側から調整ボルト５５０が挿通されている。この調整ボルト５５０は、調整ボルト用挿通孔３１２から挿通された状態で空回りし、かつ抜け落ちないように、縦稈３００の正面３１０の裏面側において抜け止め加工が施されたＵナット５６０が螺合されている。
なお、調整ボルト５５０に螺合されるものは、螺合した後には調整ボルト５５０から抜けることがないいわゆる抜け止め加工が施された抜け止め用ナットであれば、Ｕボルト５６０に限定されることはなく、他の抜け止め用ナットであってもよいことはいうまでもない。
【００１６】
このように構成された縦稈３００は、前記スライド式ボルト１００によってアングル材２００に取り付けられる。
このスライド式ボルト１００は、図４に示すように、本体部１１０と、この本体部１１０に立設されたボルト部１２０とから構成されている。
前記本体部１１０は、鋼板を折曲形成したものであり、略平行四辺形の中央片と、この中央片１１１の各辺から直交方向に折曲された２種類４つの折曲片とが一体に形成されている。
【００１７】
前記中央片の中央部、すなわち本体部１１０の中央部には、後述するボルト部１２０の軸部１２１が貫通する貫通孔（図示省略）が開設されている。また、この貫通孔の周囲には１２０度間隔で３つの凹部（図示省略）が形成されている。この凹部が形成されるため、中央片の裏面側には貫通孔の周囲に３つの凸部（図示省略）が形成される。この凸部は、ボルト部１２０の六角形の頭部（図示省略）の外周に当接してボルト部１２０の空回りを防ぐよう機能を発揮する。
【００１８】
また、前記折曲片は、中央片の長い対辺から折曲される長折曲片と、短い対辺から折曲される短折曲片とがある。
短折曲片の幅寸法は、スライド式ボルト１００をアングル材２００に嵌め込むと、短折曲片はアングル材２００の底面部２２０に、中央片はアングル材２００の前縁部２３０の裏面にそれぞれ接触するように設定されている。一方、長折曲片は、アングル材２００の底面部２２０には接触しないように設定されている。短折曲片のみならず長折曲片まで底面部２２０に接触して、スライド式ボルト１００のアングル材２００内でのスムーズなスライドが阻害されないようにするためである。
【００１９】
本体部１１０の一対の鈍角部分には、それぞれ板バネ１１３が設けられている。この板バネ１１３は、前記長折曲片から延設されたものであって、その先端部分は前記短折曲片より若干外側に突出している。
【００２０】
また、前記本体部１１０は、対辺のうち短い対辺を底辺とした状態（図４（Ａ）に示す状態）での高さ寸法は前記アングル材２００の内側幅寸法Ｗより若干小さく設定されている。さらに、前記一対の板バネ部１１３の間の寸法は、外力が加えられていない状態では前記内側幅寸法Ｗより大きく、板バネ部１１３が内側に撓んだ状態では前記内側幅寸法Ｗより小さくなる。
【００２１】
このように構成された本体部１１０にボルト部１２０が取り付けられてスライド式ボルト１００となる。ボルト部１２０は、本体部１１０の貫通孔１１１Ｂに裏面側から軸部１２１が挿入され、ボルト部１２０の頭部が前記凸部に当接させられる。なお、ボルト部１２０は、本体部１１０に軸部１２１が挿入された状態で、さらにナット部１２２を螺合させることで本体部１１０に固定される。
これで本体部１１０にボルト部１２０が立設したスライド式ボルト１００となる。
なお、ボルト部１２０の本体部１１０への固定は、ナット部１２２による固定以外の固定方法、例えば溶接等であってもかまわない。
【００２２】
次に、上述したスライド式ボルト１００のアングル材２００への取付手順について説明する。なお、アングル材２００は、開口溝２１０を手前側にした状態で予め外壁面に取り付けられているものとする。
【００２３】
図４（Ａ）に示すように、アングル材２００の開口溝２１０を介してスライド式ボルト１００を手前側から内側に嵌め込む。この際、長い対辺１１１Ｌが底面となるようにし、ボルト部１２０の軸部１２１が開口溝２１０から飛び出すようにしておく。
この状態にあるスライド式ボルト１００はアングル材２００の内側で自由にスライドさせることができる。
【００２４】
図４（Ｂ）に示すように、鈍角部分の板バネ部１１３をアングル材２００の側面部２４０の内側面に接触せさつつ回動させる。この回動の際、板バネ部１１３はアングル材２００から外力を与えられ、内側に撓むので、回動には抵抗が生ずるが阻害されることはない。これは、板バネ部１１３の長い対辺の長折曲片から延設されており、板バネ部１１３の先端が短折曲片側に位置しているためである。
【００２５】
回動が完了したスライド式ボルト１００は、図４（Ｃ）に示すように、短い対辺を底辺とした状態となっている。短い対辺を底辺とした状態でのスライド式ボルト１００の高さ寸法は、前記アングル材２００の内側幅寸法Ｗより若干小さく設定されているので、この状態にあるスライド式ボルト１００はアングル材２００の手前側から取り外すことはできない。しかも、この状態にあるスライド式ボルト１００は、アングル材２００の内側で自由にスライドさせることができる。
【００２６】
この状態にあるスライド式ボルト１００を取り外すには、スライド式ボルト１００を長い対辺が底面となるように回動させる。すなわち、図４（Ａ）に示す状態に復帰させる。ただし、この回動は鈍角部分に板バネ部１１３があるので、スムーズにはいかない。これは、板バネ部１１３の長い対辺の長折曲片から延設されており、板バネ部１１３の先端部分が短折曲片側に位置しているためである。すなわち、スライド式ボルト１００を回動させようとすると、板バネ部１１３の先端部分がアングル材２００の側面部２４０の内側面に食い込んで、回動しにくいためである。
しかし、一定以上の力を加えると板バネ部１１３が内側に撓んで、板バネ部１１３の間の寸法が、前記内側幅寸法Ｗより小さくなるので、スライド式ボルト１００は回動させることができるようになる。
なお、この室外機用の据付台１０００においては、必ずスライド式ボルト１００を使用しなければならないわけではない。アングル材２００に縦稈３００を取り付ける方法は他のものであってもかまわない。
【００２７】
前記アーム４００は、図１に示すように、一枚の鋼板を折曲形成したものであり、上面４１０が平坦になり、その上面４１０から側面視略長い三角形状の側面４２０が延設されている。また、上面４１０には２個の長孔４１１が開設されている。この長孔４１１は、据え付けられる室外機との間に介在される絶縁ゴム４３０を固定する部分である。また、前記側面４２０の基端側である基端側側面には、２つのアーム側開口部４２１Ａ、４２１Ｂが開設されている。第１のアーム側開口部４２１Ａは前記縦稈３００の第１の縦稈側開口部３２１Ａに、第２のアーム側開口部４２１Ｂは前記縦稈３００の第２の縦稈側開口部３２１Ｂにそれぞれ対応している。
なお、このアーム４００の先端には、軟質性素材からなる保護キャップ４４０が取り付けられる。
【００２８】
前記調整部材５００は、図１に示すように、背面側が開放された偏平直方体状に形成されており、略正方形状の正面５１０の対向する２辺からは側面５２０が折曲形成されている。この調整部材５００の正面５１０には、後述する調整ボルト５５０が螺合する調整ボルト用雌ねじ部５１１Ａを形作るナット５１１が溶接等の適宜な手法で連結されている。  また、この調整部際５００の対向する側面５２０には、調整部材側開口部５２１がそれぞれ開設されている。
なお、この調整部材５００は、縦稈３００の内側に入り込むことができ、しかも入り込んだ状態では回転することができないサイズに設定されている。
【００２９】
次に、上述した室外機用の据付台１０００の組立手順について説明する。
まず、外壁面に一対のアングル材２００を上下二段に平行に適宜な方法で取り付ける。
このアングル材２００にスライド式ボルト１００を取り付ける。１つのアングル材２００に２つのスライド式ボルト１００を取り付けるので、全体には４つのスライド式ボルト１００が必要になる。
【００３０】
縦稈３００の内部に調整部材５００を組み込む。
縦稈３００の手前側から調整ボルト用挿通孔３１２に調整ボルト５５０の軸部５５１を挿通させ、軸部当該軸部にＵナット５６０を螺合させる。これで、調整ボルト５５０は、調整ボルト用挿通孔３１２内で回動可能であるが、抜けることがない状態で縦稈３００に取り付けられる。
調整部材５００の調整部材側開口部５２１が、縦稈３００の第２のアーム側開口部３２１Ｂに重なるような状態で縦稈３００の奥側から調整部材５００を入れ込む。
そして、当該調整部材５００の調整ボルト用雌ねじ部５１１Ａに調整ボルト５５０を螺合させる。
【００３１】
このようにして調整部材５００が組み込まれた２つの縦稈３００を前記スライド式ボルト１００を介してアングル材２００に取り付ける。
スライド式ボルト１００の軸部１２１を縦稈３００の縦稈側開口部３１１に挿入し、この縦稈側開口部３１１にナット１５０を螺合させることで、縦稈３００がアングル材２００に取り付けられる。
【００３２】
次に、縦稈３００にアーム４００を取り付ける。
アーム４００の第１のアーム側開口部４２１Ａと縦稈３００の第１の縦稈側開口部３２１Ａとを一致させるとともに、アーム４００の第２のアーム側開口部４２１Ｂと縦稈３００の第２の縦稈側開口部３２１Ｂとを一致させる。
すると、アーム４００の第２のアーム側開口部４２１Ｂと縦稈３００の第２の縦稈側開口部３２１Ｂとは、調整部材５００の調整部材側開口部５２１とも重なることになる。
この状態で、第１のアーム側開口部４２１Ａと第１の縦稈側開口部３２１Ａとには第１のボルト４５０Ａを、第２のアーム側開口部４２１Ｂと第２の縦稈側開口部３２１Ｂと調整部材側開口部５２１とには第２のボルト４５０Ｂをそれぞれ挿通させる。
そして、第１のボルト４５０Ａと第２のボルト４５０Ｂに、ナット４６０を螺合させる。
なお、アーム４００の絶縁ゴム４３０は必要に応じて取り付ける。
これで、室外機用の据付台１０００が一応完成する。
【００３３】
上述したようにして組み立てられた室外機用の据付台１０００のアーム４００の角度調整について図５、図６を参照しつつ説明する。
調整ボルト５５０を回動させて、軸部５５１のナット５１１の調整ボルト用雌ねじ部５１１Ａに対する螺合状態を変更することでアーム４００の角度調整を行う。
調整ボルト５００が最も深く調整部材３００に螺合している状態、すなわち図５で示す状態であれば、第２のアーム側開口部４２１Ｂと調整部材側開口部５２１とは重なった状態で、長孔状の第２の縦稈側開口部３２１Ｂの手前側縁部に一致する。
すなわち、上側調整ボルト５００の調整部材３００への螺合状態を深くすれば、調整部材５００は縦稈３００の手前へと移動するので、第２のアーム側開口部４２１Ｂと第２の縦稈側開口部３２１Ｂと調整部材側開口部５２１とに挿通されている第２のボルト４５０Ｂは長孔状の第２の縦稈側開口部３２１Ｂの手前縁部方向へと移動する。
そして、アーム４００の角度の調整（変化）は、第１のアーム側開口部４２１Ａ及び第１の縦稈側開口部３２１Ａとを中心としてアーム４００が円弧状に動くことで行われるので、アーム４００は手前に向かって上向きの角度となる。
【００３４】
一方、図６に示すように、上側調整ボルト５００の調整部材３００への螺合状態を浅くすれば、調整部材５００は縦稈３００の奥側へと移動するので、第２のアーム側開口部４２１Ｂと第２の縦稈側開口部３２１Ｂと調整部材側開口部５２１とに挿通されている第２のボルト４５０Ｂは長孔状の第２の縦稈側開口部３２１Ｂの奥側縁部方向へと移動する。この結果、アーム４００は手前に向かって上向きだったものが水平方向へと移動する。
なお、室外機用の据付台１０００には２つのアーム４００があるが、室外機は左右の重量差があるので、それぞれのアーム４００に加わる荷重は異なる。従って、各アーム４００は加わる荷重に応じて角度を調整するものとする。
【００３５】
なお、図８においてアーム４００の角度が水平な状態を実線で、最も上向きな状態を二点鎖線で示している。
【００３６】
かかる室外機用の据付台１０００のアーム４００に対して上向きの力が加わった場合、アーム４００の上方向への移動は、調整ボルト５５０に螺合したＵナット５６０で規制されているので、アーム４００は上方向へと移動しない。すなわち、台風等の強風によってアーム４００が室外機ごと上方向に煽られても、上方向へと動かないので安全である。
もし、Ｕナット５６０に相当するものがない場合、調整ボルト５５０は、調整部材５００と縦稈３００の内側面との間の隙間分（図６のＳ参照）だけ外側に向かって移動することができるので、アーム４００に上向きの力が加えられると、アーム４００は上方向へと移動する。
【００３７】
なお、図５及び図６では、第１のアーム側開口部４２１Ａの方が、縦稈３００の第１の縦稈側開口部３２１Ａより径大に記載されているが、これは作図の都合上のものであり、実際にはほぼ同径となっている。
また、同様に、アーム４００の第２のアーム側開口部４２１Ｂの方が、縦稈３００の第２の縦稈側開口部３２１Ｂ（短径側）より径大に、調整部材５００の調整部材側開口部５２１より径大に記載されているが、これは作図の都合上のものであり、実際にはほぼ同径となっている。
【符号の説明】
【００３８】
２００    アングル材
３００    縦稈
４００    アーム
５００    調整部材
５５０    調整ボルト
５６０    抜け止め用のナット
【図１】
2016033428.tif 000003
【図２】
2016033428.tif 000004
【図３】
2016033428.tif 000005
【図４】
2016033428.tif 000006
【図５】
2016033428.tif 000007
【図６】
2016033428.tif 000008
【図７】
2016033428.tif 000009
【図８】
2016033428.tif 000010